(57)【特許請求の範囲】
【請求項１】
支柱を有するスタンド本体と、ドラムを支持する複数のアームを有するドラム支持体とを備え、前記複数のアームは、前記支柱の上端付近から横方向へ放射状に開いた使用時の形態と、使用時の形態から横方向に回動して閉じられると共に前記支柱に折り畳まれた収納時の形態とを取り得るドラムスタンドであって、
前記複数のアームは、
前記支柱の上端付近に設けられた第１アームと、
前記支柱の上端付近に設けられ、前記第１アームに対して開閉すべく横方向に回動可能な第２アームとからなり、
前記第１及び第２アームは、前記ドラムの底面に向けて斜めにかつ前記第１及び第２アームの基端から先端にかけて直線的にそれぞれ延びており、前記第１及び第２アームの途中部分に湾曲部を有していないことを特徴とするドラムスタンド。
【請求項２】
請求項１記載のドラムスタンドにおいて、
前記複数のアームは、１本の第１アームと、２本の第２アームとからなることを特徴とするドラムスタンド。
【請求項３】
請求項１又は２記載のドラムスタンドにおいて、
前記第１アームは、前記第１アームの長さを調整可能に構成されていることを特徴とするドラムスタンド。
【請求項４】
請求項３記載のドラムスタンドにおいて、
前記第１アームは、前記支柱の上端に設けられかつ軸線を有するアーム支持体と、前記アーム支持体に支持されかつ前記アーム支持体の軸線に沿って摺動可能な摺動アームとを備えていることを特徴とするドラムスタンド。
【請求項５】
請求項３又は４記載のドラムスタンドにおいて、
前記第１アームの最短長は、前記第２アームの長さと同等であることを特徴とするドラムスタンド。
【請求項６】
請求項１〜５のうちいずれか一項に記載のドラムスタンドにおいて、
前記ドラム支持体は、更に、前記ドラム支持体を前記支柱の上端に取り付けるためのアタッチメントを備え、
前記アタッチメントは、前記ドラム支持体を、前記第１アームの軸線に沿って移動可能に支持することを特徴とするドラムスタンド。
【請求項７】
請求項２〜６のうちいずれか一項に記載のドラムスタンドにおいて、
前記ドラム支持体は、更に、２本の第２アームを第１角度で開いた第１開位置又は前記第１角度よりも大きい第２角度で開いた第２開位置から閉じないように規制する規制部材を備えていることを特徴とするドラムスタンド。
【請求項８】
請求項７記載のドラムスタンドにおいて、
前記規制部材は、Ｔ型ストッパからなり、
前記Ｔ型ストッパを第１の向きにして２本の第２アームの基端間に配置することで、２本の第２アームが前記第１開位置から閉じないように規制され、
前記Ｔ型ストッパを第２の向きにして２本の第２アームの基端間に配置することで、２本の第２アームが前記第２開位置から閉じないように規制されることを特徴とするドラムスタンド。
【請求項９】
請求項６記載のドラムスタンドにおいて、
前記アタッチメントは、前記支柱の上端に対して傾動可能に保持されていることを特徴とするドラムスタンド。
【請求項１０】
請求項１〜９のうちいずれか一項に記載のドラムスタンドにおいて、
前記複数のアームの各先端には、前記ドラムを把持するためのフックが設けられ、前記フックの前記ドラムと対向する部分が断面円形状を有していることを特徴とするドラムスタンド。
【発明の詳細な説明】
【技術分野】
【０００１】
本発明は、ドラムを床面等に設置する際に用いられるドラムスタンドに関する。
【背景技術】
【０００２】
この種のドラムスタンドが、例えば、特許文献１，２に開示されている。
特許文献１に開示のドラムスタンドは、支柱及び脚部を有するスタンド本体と、スネアドラムを支持するドラム支持体とを備えている。ドラム支持体は、３本のアームと、３本のアームの中心から下方に延びるドラム支持側パイプと、各アームとドラム支持側パイプとを連結する３本のステーと、ドラム支持側パイプの下端に螺着された調節ナットとを備えている。３本のアームは、ドラム支持側パイプの上端付近から横方向へ放射状に延びている。この構成によれば、調節ナットを回して、ステーの基端を、環状体と共にドラム支持側パイプに沿って上昇させる。これにより、３本のアームが各アームの基端を中心に上方へ回動するため、放射状に開いたアームの先端を含む円の直径が小さくなる。つまり、調節ナットを操作することにより、スネアドラムの直径に対応してドラム支持体の直径が調節される。また、ドラム支持体にスネアドラムが配置されていれば、アームの先端によりスネアドラムの下側フープが把持される。この場合、スネアドラムをドラムスタンドと一緒に持ち上げて、移動させることもできる。
【０００３】
特許文献２に開示のドラムスタンドも、支柱及び脚部を有するスタンド本体と、スネアドラムを支持するドラム支持体とを備えている。ドラム支持体は、四角形状の支持プレートと、支持プレートから横方向へ放射状に延びる３本のアームとを備えている。支持プレートには、中央に配置される第１アームが、第１アームの軸線に沿って摺動可能に取り付けられている。また、支持プレートには、２本の第２アームが、第１アームに対して開閉すべく回動可能にそれぞれ連結されている。この構成によれば、第１アームに対して第２アームを閉じてから、第１及び第２アームを支柱に折り畳むことにより、ドラムスタンドを収納時の形態にすることができる。
【先行技術文献】
【特許文献】
【０００４】
【特許文献１】特開２００３−２０２８５９号公報
【特許文献２】米国特許第１８３７６３７号明細書
【発明の概要】
【０００５】
しかしながら、特許文献１に開示のドラムスタンドによれば、ステーの基端を環状体と共にドラム支持側パイプに沿って上昇させる構造のため、スネアドラムを比較的高い位置でしか支持することができない。つまり、スネアドラムを低い位置でセッティングできないため、胴深さの大きいスネアドラムを支持する場合、スネアドラムの打面が所望の位置よりも高くなり易い。これに対し、特許文献２に開示のスネアスタンドは、特許文献１のスネアスタンドよりも低い位置でスネアドラムをセッティングできる。しかしながら、特許文献２に開示のドラムスタンドによれば、スネアワイヤが緩められた状態でアームと干渉しないようにするため、３本のアームとスネアドラムの底面との間に大きな空間を確保する必要がある。このため、各アームは、アームの先端に向かうほど大きく曲げられている。この構成のため、収納時の形態で、アームの湾曲部は、アームの先端に向かうほどスタンド本体の支柱から大きく反れて配置される。つまり、アームの湾曲部が支柱と交差する方向に大きく突出するため、スネアスタンドの収納時の形態をコンパクトにすることができない。
【発明が解決しようとする課題】
【０００６】
本発明の目的は、ドラムを低い位置でセッティングすることができ、収納時の形態をコンパクトにすることができるドラムスタンドを提供することにある。
【課題を解決するための手段】
【０００７】
上記の目的を達成するために、請求項１に記載の発明は、支柱を有するスタンド本体と、ドラムを支持する複数のアームを有するドラム支持体とを備え、複数のアームは、支柱の上端付近から横方向へ放射状に開いた使用時の形態と、使用時の形態から横方向に回動して閉じられると共に支柱に折り畳まれた収納時の形態とを取り得るドラムスタンドであって、複数のアームは、支柱の上端付近に設けられた第１アームと、支柱の上端付近に設けられ、第１アームに対して開閉すべく横方向に回動可能な第２アームとからなり、第１及び第２アームは、ドラムの底面に向けて斜めにかつ第１及び第２アームの基端から先端にかけて直線的にそれぞれ延びており、第１及び第２アームの途中部分に湾曲部を有していないことを要旨とする。
【０００８】
この構成によれば、第１及び第２アームの延出方向をドラムの底面に対して斜めに設定することで、第１及び第２アームとドラムの底面との間に空間を確保することができる。このため、使用時の形態では、ドラムが、支柱の上端付近から延びる第１及び第２アームとの間の空間を利用して、第１及び第２アームにより支持される。よって、ステーによりアームを回動させてドラムを把持する従来構成よりも、ドラムを低い位置でセッティングすることができる。また、第１及び第２アームはいずれも直線的に延びており、湾曲部を有していない。このため、収納時の形態では、第１及び第２アームが、それらの全長に亘ってスタンド本体の支柱と並行に配置される。よって、アームの先端に湾曲部を有する従来構成のドラムスタンドと比較して、ドラムスタンドの収納時の形態をコンパクトにすることもできる。
【０００９】
請求項２に記載の発明は、請求項１記載の発明において、複数のアームは、１本の第１アームと、２本の第２アームとからなることを要旨とする。
この構成によれば、複数のアームの総数を３本に設定することで、ドラムの安定的な支持に必要なアームの数を最小限に抑えることができる。これにより、複数のアームの収納時の形態がよりコンパクトになり、ひいては、ドラムスタンドの収納時の形態をよりコンパクトにすることができる。
【００１０】
請求項３に記載の発明は、請求項1又は２記載の発明において、第１アームは、第１アームの長さを調整可能に構成されていることを要旨とする。
この構成によれば、複数のアームを使用時の形態にして第１アームの長さを調整することで、放射状に開いた各アームの先端を含む円の直径を変更することができる。このように、複数のアームのうち第１アームの長さを調整するだけで、ドラムの直径に対応してドラム支持体の直径を調節することができる。
【００１１】
請求項４に記載の発明は、請求項３記載の発明において、第１アームは、支柱の上端に設けられかつ軸線を有するアーム支持体と、アーム支持体に支持されかつアーム支持体の軸線に沿って摺動可能な摺動アームとを備えていることを要旨とする。
【００１２】
この構成によれば、アーム支持体の軸線に沿って摺動アームを摺動させるだけで、第１アームの長さを調整することができる。
請求項５に記載の発明は、請求項３又は４記載の発明において、第１アームの最短長は、第２アームの長さと同等であることを要旨とする。
【００１３】
この構成によれば、第１アームの最短長を第２アームの長さと同等に設定することで、複数のアームの収納時の形態がより一層コンパクトになり、ひいては、ドラムスタンドの収納時の形態をより一層コンパクトにすることができる。
【００１４】
請求項６に記載の発明は、請求項１〜５のうちいずれか一項に記載の発明において、ドラム支持体は、更に、ドラム支持体を支柱の上端に取り付けるためのアタッチメントを備え、アタッチメントは、ドラム支持体を、第１アームの軸線に沿って移動可能に支持することを要旨とする。
【００１５】
この構成によれば、アタッチメントを操作して、ドラム支持体を第１アームの軸線に沿って移動させることができる。これにより、ドラム支持体に装着されたドラムの中心を、スタンド本体の支柱と同位置に配置することができる。よって、ドラムスタンドによりドラムを安定的に支持することができる。
【００１６】
請求項７に記載の発明は、請求項２〜６のうちいずれか一項に記載の発明において、ドラム支持体は、更に、２本の第２アームを第１角度で開いた第１開位置又は第１角度よりも大きい第２角度で開いた第２開位置から閉じないように規制する規制部材を備えていることを要旨とする。
【００１７】
この構成によれば、規制部材により２本の第２アームを第１開位置から閉じないように規制することで、比較的小さい径のドラムに対応してドラム支持体の直径を調整することができる。また、規制部材により２本の第２アームを第２開位置から閉じないように規制することで、比較的大きい径のドラムに対応してドラム支持体の直径を調整することができる。
【００１８】
請求項８に記載の発明は、請求項７記載の発明において、規制部材は、Ｔ型ストッパからなり、Ｔ型ストッパを第１の向きにして２本の第２アームの基端間に配置することで、２本の第２アームが第１開位置から閉じないように規制され、Ｔ型ストッパを第２の向きにして２本の第２アームの基端間に配置することで、２本の第２アームが第２開位置から閉じないように規制されることを要旨とする。
【００１９】
この構成によれば、Ｔ型ストッパを第１の向き又は第２の向きにして２本の第２アームの基端間に配置するだけで、２種類のドラムの口径に対応してドラム支持体の直径を調整することができる。よって、ドラムスタンドに装着されるドラムの種類に対応してドラム支持体の直径を容易に切替えることができる。
【００２０】
請求項９に記載の発明は、請求項６記載の発明において、アタッチメントは、支柱の上端に対して傾動可能に保持されていることを要旨とする。
この構成によれば、アタッチメントを支柱に対して傾動させることで、複数のアームを支柱と平行になるまで折り畳むことができる。これにより、ドラムスタンドの収納時の形態をより一層コンパクトにすることができる。また、支柱に対するドラム支持体の取付角度を変更することで、ドラムの打面角度を演奏し易い角度に調整することもできる。
【００２１】
請求項１０に記載の発明は、請求項１〜９のうちいずれか一項に記載の発明において、複数のアームの各先端には、ドラムを把持するためのフックが設けられ、フックのドラムと対向する部分が断面円形状を有していることを要旨とする。
【００２２】
この構成によれば、フックのドラムと対向する部分が断面円形状を有しているため、フックは、フープやシェル等との接触面積を小さく抑えつつドラムを把持することができる。この場合、ドラムの振動がフックにより打ち消され難いため、ドラム音を十分に響かせることができる。
【発明の効果】
【００２３】
本発明によれば、ドラムを低い位置でセッティングすることができ、収納時の形態をコンパクトにすることもできる。
【図面の簡単な説明】
【００２４】
【図１】本発明に係るドラムスタンドの使用時の形態を示す斜視図。
【図２】ドラムスタンドの斜視図。
【図３】図１の３−３線に沿った断面図。
【図４】図１の４−４線に沿った断面図。
【図５】図１の５−５線に沿った断面図。
【図６】（ａ）１２インチのスネアドラムを支持する場合のＴ型ストッパ付近を拡大して示す部分正面図、（ｂ）１２インチのスネアドラムを支持する場合のスネアドラムの側面図、（ｃ）１２インチのスネアドラムを支持する場合のドラム支持体を下方から見た底面図。
【図７】（ａ）は１４インチのスネアドラムを支持する場合のＴ型ストッパ付近を拡大して示す部分正面図、（ｂ）１４インチのスネアドラムを支持する場合のスネアドラムの側面図、（ｃ）１４インチのスネアドラムを支持する場合のドラム支持体を下方から見た底面図。
【図８】ドラムスタンドの収納時の形態を示す斜視図。
【発明を実施するための形態】
【００２５】
以下、本発明に係るドラムスタンドをスネアドラム用スタンドに具体化した一実施形態について、図１〜図８を参照して説明する。
図１に示すように、ドラムスタンド１０は、スタンド本体１１と、複数のアームを有するドラム支持体１４と、ドラム支持体１４をスタンド本体１１に取り付けるアタッチメント１５とを備えている。ドラム支持体１４は、第１アーム４１と、第１アーム４１に対して開閉する２本の第２アーム４２とから構成されている。ドラム支持体１４は、放射状に開いた使用時の形態と、図８に示す収納時の形態とを取り得る。
【００２６】
スタンド本体１１は、折り畳み可能な三脚１６と、三脚１６の中央から上方に延びる支柱１７とを備えている。支柱１７は、径の異なる上パイプ１７ａ及び下パイプ１７ｂと、パイプジョイント１８とを備えている。パイプジョイント１８は、上パイプ１７ａと下パイプ１７ｂとを固定又は摺動可能に保持する。上パイプ１７ａには、下パイプ１７ｂとの固定位置を記憶するため、メモリロック１９が装着されている。
【００２７】
図２に示すように、上パイプ１７ａの下端には、筒状のゴム部材２０が挿入されている。また、ゴム部材２０の内側には、テーパ状の外周面を有するストッパ２１が挿入されている。ゴム部材２０は、ストッパ２１によって上パイプ１７ａの下端に固定されている。上パイプ１７ａの上開口端には、軸部材２２が装着されている。軸部材２２の上面中央には、軸を介して球体２３が固定されている。
【００２８】
アタッチメント１５は、軸部材２２の球体２３に取り付けられる第１及び第２クランプ２４，２５と、第１及び第２クランプ２４，２５を固定するボルト２６及びＴ型ナット２７とを備えている。第１クランプ２４は、ピン２８を介し第２クランプ２５の端部に対して回動可能に連結されている。第１及び第２クランプ２４，２５は、それらの連結部と反対側に挿通孔２４ａ，２５ａをそれぞれ有している。
【００２９】
ボルト２６は、第１及び第２クランプ２４，２５の挿通孔２４ａ，２５ａに挿通されて、Ｔ型ナット２７に螺着されている。Ｔ型ナット２７を締め付けることで、第１及び第２クランプ２４，２５が球体２３を挟持する。このため、アタッチメント１５は、軸部材２２を介して上パイプ１７ａに固定される。Ｔ型ナット２７を緩めることで、第１及び第２クランプ２４，２５による球体２３の挟持が解除される。このため、アタッチメント１５は、軸部材２２及び上パイプ１７ａに対して傾動可能となる。即ち、アタッチメント１５は、球体２３の中心を中心として前後左右に傾動可能となる。
【００３０】
図２及び図３に示すように、アタッチメント１５は、更に、第２クランプ２５に側方から取り付けられるカバー２９と、第２クランプ２５にカバー２９を固定するボルト３０及び六角ナット３１とを備えている。第２クランプ２５には、カバー２９と共にドラム支持体１４を支持する支持片３２が一体形成されている。支持片３２及びカバー２９の内面には、ドラム支持体１４を摺動可能に保持する保持溝３２ａ，２９ａがそれぞれ形成されている。
【００３１】
カバー２９の上端は、連結ピン３３を介し第２クランプ２５の支持片３２に対して回動可能に連結されている。支持片３２及びカバー２９の下端には、挿通孔３２ｂ，２９ｂがそれぞれ形成されている。ボルト３０は、支持片３２及びカバー２９の挿通孔３２ｂ，２９ｂに挿通されて、六角ナット３１に螺着されている。ボルト３０を締め付けることで、支持片３２及びカバー２９によりドラム支持体１４の第１アーム４１が挟持される。このため、ドラム支持体１４がアタッチメント１５に固定されて、支柱１７の軸線に対するドラム支持体１４の中心位置が固定される。ボルト３０を緩めることで、支持片３２及びカバー２９による第１アーム４１の挟持が解除される。このため、ドラム支持体１４がアタッチメント１５に対し第１アーム４１の軸線に沿って摺動可能となり、支柱１７の軸線に対するドラム支持体１４の中心位置が変更可能となる。
【００３２】
第１アーム４１は、略Ｔ字状のアーム支持体４３と、アーム支持体４３に支持される摺動アーム４４とを備えている。アーム支持体４３は、軸線に沿って延びる直線部４６と、２本の第２アーム４２が連結される基部４７とを備えている。直線部４６は、断面八角形である。直線部４６には、摺動アーム４４を摺動可能に保持する保持溝４６ａが形成されている。保持溝４６ａは、下方に開放されると共に直線部４６の軸線に沿って延びている。また、摺動アーム４４の基端には、ストッパ４８が固定されている。ストッパ４８がクランプ片４９に当接されることで、アーム支持体４３からの摺動アーム４４の脱落が阻止される。
【００３３】
図２及び図４に示すように、アーム支持体４３は、更に、直線部４６の先端に取り付けられるクランプ片４９と、直線部４６にクランプ片４９を固定するボルト５０及びＴ型ナット５１とを備えている。直線部４６の先端には、クランプ片４９と共に摺動アーム４４を支持するクランプ部４６ｂが一体形成されている。クランプ部４６ｂ及びクランプ片４９の内面には、摺動アーム４４を摺動可能に保持する保持溝４６ｃ，４９ｃがそれぞれ形成されている。
【００３４】
クランプ片４９は、連結ピン５２を介しクランプ部４６ｂに対して回動可能に連結されている。クランプ部４６ｂ及びクランプ片４９は、それらの連結部と反対側に挿通孔４６ｄ，４９ｄをそれぞれ有している。ボルト５０は、クランプ部４６ｂ及びクランプ片４９の挿通孔４６ｄ，４９ｄに挿通されて、Ｔ型ナット５１に螺着されている。Ｔ型ナット５１を締め付けることで、クランプ部４６ｂ及びクランプ片４９が摺動アーム４４を挟持する。このため、摺動アーム４４がアーム支持体４３に固定されて、第１アーム４１の全長が固定される。Ｔ型ナット５１を緩めると、クランプ部４６ｂ及びクランプ片４９による摺動アーム４４の挟持が解除される。このため、摺動アーム４４がアーム支持体４３に対し摺動可能となり、第１アーム４１の全長が調整可能となる。
【００３５】
図２及び図５に示すように、基部４７は、直線部４６の基端から、直線部４６の軸線と直交する方向に延びている。基部４７の中央には、ボルト５３により、規制部材としてのＴ型ストッパ５４が取り付けられている。基部４７の各端には、第２アーム４２が、樹脂ワッシャ５５、ネジ５６、筒状ナット５７等を介して回動可能に連結されている。基部４７の各端には、上壁４７ａ及び下壁４７ｂが設けられている。上壁４７ａ及び下壁４７ｂには、ネジ５６の頭部及び軸部の一部が配置される縦孔４７ｃがそれぞれ形成されている。
【００３６】
上壁４７ａと下壁４７ｂとの間には、樹脂ワッシャ５５を介して、アームホルダ５８が取り付けられている。アームホルダ５８は、第２アーム４２が固定される固定部５８ａと、基部４７に連結される連結部５８ｂとを備えている。連結部５８ｂには、上壁４７ａ及び下壁４７ｂの縦孔４７ｃと同軸上に配置される縦孔５８ｃが形成されている。筒状ナット５７は、上壁４７ａの縦孔４７ｃ、連結部５８ｂの縦孔５８ｃ及び下壁４７ｂの縦孔４７ｃに跨って装着されている。ネジ５６は、筒状ナット５７を縦孔４７ｃ，５８ｃ，４７ｃに固定するため、筒状ナット５７の上端と下端とにそれぞれ螺着されている。
【００３７】
図２に示すように、第１及び第２アーム４１，４２の先端には、弾性部材からなるフック５９が取り付けられている。フック５９は、略Ｌ字状をなす２つの部品を組み付けて構成されている。フック５９は、スネアドラムを下方から受ける受け部５９ａと、スネアドラムの下フープに係止される係止部５９ｂとを備えている。受け部５９ａ及び係止部５９ｂはいずれも、スネアドラムとの接触面積を少なくするため、断面円形状に形成されている。
【００３８】
次に、上記のドラムスタンド１０の作用について説明する。
まず、ドラムスタンド１０を、図１に示す使用時の形態から図８に示す収納時の形態に変形する際の手順について説明する。
【００３９】
図１に示すように、まず、クランプ部４６ｂのＴ型ナット５１を緩めてから、第１アーム４１が最短長になるまで、摺動アーム４４をアーム支持体４３に対して図１のＰ方向に摺動させる。次に、２本の第２アーム４２が第１アーム４１と平行になるまで、図１の矢印Ｑに示すように、第２アーム４２を横方向に回動させる。こうして、図８に示すように、２本の第２アーム４２が第１アーム４１に対して閉じられる。
【００４０】
続いて、アタッチメント１５のＴ型ナット２７を緩めた後、第１及び第２アーム４１，４２が支柱１７と平行になるまで、アタッチメント１５を支柱１７に対して傾動させる。こうして第１及び第２アーム４１，４２が支柱１７に折り畳まれた後、パイプジョイント１８を操作して支柱１７の長さを短くし、三脚１６を支柱１７に折り畳む。
【００４１】
図８に示す収納時の形態で、第１アーム４１は、最短長でありかつ第２アーム４２の全長と同等に設定されている。また、第１アーム４１及び第２アーム４２のフック５９はいずれも同じ方向を向いている。このように、ドラムスタンド１０は、アームの先端に湾曲部を有するドラムスタンドよりもコンパクトに折り畳むことができる。尚、ドラムスタンド１０を収納時の形態から使用時の形態に変形する操作は、上記一連の操作と逆の順で行えばよい。
【００４２】
続いて、スネアドラムの口径に対応してドラム支持体１４の直径を調整する際の手順について説明する。
図６（ａ）〜図６（ｃ）は、１２インチ口径のスネアドラムＳＤ１に対応してドラム支持体１４の直径を変更したドラムスタンド１０を示す。また、図７（ａ）〜図７（ｂ）は、１４インチインチ口径のスネアドラムＳＤ２に対応してドラム支持体１４の直径を変更したドラムスタンド１０を示す。
【００４３】
１２インチ口径のスネアドラムＳＤ１の場合、図６（ａ）に示すように、Ｔ型ストッパ５４が第１の向きで２本の第２アーム４２の基端間に配置されると共に、アーム支持体４３の基部４７に固定されている。また、図６（ｂ）に示すように、第１及び第２アーム４１，４２は、支柱１７の上端付近からスネアドラムＳＤ１の底面に向けて、斜めにかつ直線的にそれぞれ延びている。この場合、スネアドラムＳＤ１は、第１及び第２アーム４１，４２との間の空間を利用して、第１及び第２アーム４１，４２により支持されている。また、図６（ｃ）に示すように、Ｔ型ストッパ５４により、２本の第２アーム４２が第１角度で開いた第１位置から閉じないように規制されている。この場合、第１アーム４１の長さは、第２アーム４２の全長とほぼ同等になるよう短く調節されている。
【００４４】
１４インチ口径のスネアドラムＳＤ２の場合、図７（ａ）に示すように、Ｔ型ストッパ５４が第２の向きで２本の第２アーム４２の基端間に配置されると共に、アーム支持体４３の基部４７に固定されている。ここで、第２の向きは、第１の向きを上下反転させた向きである。この場合も、図７（ｂ）に示すように、第１及び第２アーム４１，４２は、支柱１７の上端付近からスネアドラムＳＤ２の底面に向けて、図６（ｂ）に示す場合とほぼ同じ角度でそれぞれ延びている。このため、スネアドラムＳＤ２は、図６（ｂ）に示す場合とほぼ同じ高さ位置で、第１及び第２アーム４１，４２により支持されている。また、図７（ｃ）に示すように、Ｔ型ストッパ５４により、２本の第２アーム４２が第２角度で開いた第２位置から閉じないように規制されている。ここで、第２角度は、第１角度よりも大きく設定されている。この場合、第１アーム４１の長さは、クランプ部４６ｂのＴ型ナット５１を操作して、第２アーム４２の全長よりも長くなるように調節されている。
【００４５】
また、上記のドラムスタンド１０によれば、１４インチ口径のスネアドラムＳＤ２に対応するドラム支持体１４をベースにして、１３インチ口径のスネアドラム及び１５インチ口径のスネアドラムにそれぞれ対応することもできる。１３インチ口径のスネアドラムに対応する場合、図７（ｃ）に示す状態から第１アーム４１の長さを短くすることで、ドラム支持体１４の直径を、１４インチ口径のスネアドラムＳＤ２のときよりも小さくすればよい。この場合、摺動アーム４４は、図７（ｃ）に示す位置よりも左側に配置される。また、１５インチ口径のスネアドラムに対応する場合、図７（ｃ）に示す状態から第１アーム４１の長さを伸ばすことで、ドラム支持体１４の直径を、１４インチ口径のスネアドラムＳＤ２のときよりも大きくすればよい。この場合、摺動アーム４４は、図７（ｃ）に示す位置よりも右側に配置される。
【００４６】
図６（ｂ）及び図７（ｂ）から明らかなように、ステーによりアームを回動させてドラムを把持するドラムスタンドよりも、スネアドラムＳＤ１，ＳＤ２を低い位置でセッティングすることができる。また、ドラムスタンド１０によれば、２種類のスネアドラムＳＤ１，ＳＤ２の各口径に対応してドラム支持体１４の直径を変更することができる。この場合、スネアドラムＳＤ１，ＳＤ２の直径に関係無くほぼ同じ高さ位置で、スネアドラムＳＤ１，ＳＤ２をセッティングすることもできる。
【００４７】
従って、本実施形態によれば、以下のような効果を得ることができる。
（１）ドラムスタンド１０は、複数のアームを有するドラム支持体１４を備えている。ドラム支持体１４は、第１アーム４１と、第１アーム４１に対して開閉する２本の第２アーム４２とから構成されている。第１及び第２アーム４１，４２はいずれも、支柱１７の上端付近からスネアドラムＳＤ１の底面に向けて斜めに直線的に延びている。この構成によれば、第１及び第２アーム４１，４２の延出方向をスネアドラムＳＤ１，ＳＤ２の底面に対して斜めに設定することで、第１及び第２アーム４１，４２とスネアドラムＳＤ１，ＳＤ２の底面との間に空間を確保することができる。このため、使用時の形態では、スネアドラムＳＤ１，ＳＤ２が、支柱１７の上端付近から延びる第１及び第２アーム４１，４２との間の空間を利用して、第１及び第２アーム４１，４２により支持される。よって、ステーによりアームを回動させてドラムを把持するスネアスタンドよりも、スネアドラムＳＤ１，ＳＤ２を低い位置でセッティングすることができる。また、第１及び第２アーム４１，４２はいずれも直線的に延びており、湾曲部を有していない。このため、収納時の形態では、第１及び第２アーム４１，４２が、それらの全長に亘って支柱１７と並行に配置される。よって、アームの先端に湾曲部を有するドラムスタンドと比較して、ドラムスタンド１０の収納時の形態をコンパクトにすることもできる。
【００４８】
（２）ドラム支持体１４は、第１アーム４１と、第１アーム４１に対して開閉する２本の第２アーム４２とから構成されている。この構成によれば、アームの総数を３本に設定することで、スネアドラムＳＤ１，ＳＤ２の安定的な支持に必要なアームの数を最小限に抑えることができる。これにより、第１及び第２アーム４１，４２の収納時の形態がよりコンパクトになり、ひいては、ドラムスタンド１０の収納時の形態をよりコンパクトにすることができる。
【００４９】
（３）アーム支持体４３のＴ型ナット５１を緩めると、クランプ部４６ｂ及びクランプ片４９による摺動アーム４４の挟持が解除される。このため、摺動アーム４４がアーム支持体４３に対して摺動可能となり、第１アーム４１の全長が調整可能となる。この構成によれば、アーム支持体４３の軸線に沿って摺動アーム４４を摺動させるだけで、第１アーム４１の長さを調整することができる。また、使用時の形態にして第１アーム４１の長さを調整することで、放射状に開いた第１及び第２アーム４１，４２の先端を含む円の直径を変更することができる。このように、第１アーム４１の長さを調整するだけで、スネアドラムＳＤ１，ＳＤ２の直径に対応してドラム支持体１４の直径を調節することができる。
【００５０】
（４）収納時の形態で、第１アーム４１は最短長でありかつ第２アーム４２の全長と同等に設定されている。この構成によれば、第１及び第２アーム４１，４２の収納時の形態がより一層コンパクトになり、ひいては、ドラムスタンド１０の収納時の形態をより一層コンパクトにすることができる。
【００５１】
（５）アタッチメント１５の六角ナット３１を緩めることで、支持片３２及びカバー２９によるドラム支持体１４の挟持が解除される。このため、ドラム支持体１４がアタッチメント１５に対し第１アーム４１の軸線に沿って摺動可能となり、支柱１７の軸線に対するドラム支持体１４の中心位置が変更可能となる。この構成によれば、アタッチメント１５を上記のように操作して、ドラム支持体１４を第１アーム４１の軸線に沿って移動させることができる。これにより、ドラム支持体１４に装着されたスネアドラムＳＤ１，ＳＤ２の中心を、スタンド本体１１の支柱１７と同位置に配置することができる。よって、ドラムスタンド１０によりスネアドラムをＳＤ１、ＳＤ２を安定的に支持することができる。
【００５２】
（６）基部４７の中央には、Ｔ型ストッパ５４が取り付けられている。この構成によれば、Ｔ型ストッパ５４を第１の向きで２本の第２アーム４２の基端間に配置することで、２本の第２アーム４２を第１角度で開いた第１位置から閉じないように規制することができる。この場合、比較的小さい径のスネアドラムＳＤ１に対応してドラム支持体１４の直径を調整することができる。また、Ｔ型ストッパ５４を第２の向きで２本の第２アーム４２の基端間に配置することで、２本の第２アーム４２を第２角度で開いた第２位置から閉じないように規制することもできる。この場合、比較的大きい径のスネアドラムＳＤ２に対応してドラム支持体１４の直径を調整することができる。ここで、第２の向きは、第１の向きを上下反転させた向きである。つまり、Ｔ型ストッパ５４を上下反転させて基部４７に取り付けるだけで、２種類のスネアドラムＳＤ１，ＳＤ２の口径に対応してドラム支持体１４の直径を調整することができる。よって、ドラムスタンド１０に装着されるスネアドラムＳＤ１，ＳＤ２の種類に対応してドラム支持体１４の直径を容易に切替えることができる。
【００５３】
（７）アタッチメント１５のＴ型ナット２７を緩めることで、第１及び第２クランプ２４，２５による球体２３の挟持が解除される。このため、アタッチメント１５は、軸部材２２を介し上パイプ１７ａに対して傾動可能となる。このように、支柱１７に対してアタッチメント１５を傾動させることで、第１及び第２アーム４１，４２を支柱１７と平行になるまで折り畳むことができる。これにより、ドラムスタンド１０の収納時の形態をより一層コンパクトにすることができる。また、アタッチメント１５は、球体２３の中心を中心として、前後左右及び上下方向に傾動可能である。このため、支柱１７に対するドラム支持体１４の取付角度を変更することで、スネアドラムＳＤ１，ＳＤ２の打面角度を演奏し易い角度に調整することもできる。
【００５４】
（８）フック５９は、スネアドラムを下方から受ける受け部５９ａと、下フープに係止される係止部５９ｂとを備えている。受け部５９ａ及び係止部５９ｂはいずれも、スネアドラムとの接触面積を少なくするため、断面円形状に形成されている。この構成によれば、フック５９は、フープやシェル等との接触面積を小さく抑えつつスネアドラムＳＤ１，ＳＤ２を把持することができる。この場合、スネアドラムＳＤ１，ＳＤ２の振動がフック５９により打ち消され難いため、ドラム音を十分に響かせることができる。
【００５５】
なお、本実施形態は、以下のように変更してもよい。
・本実施形態において、アタッチメント１５を用いて、ドラム支持体１４を、スタンド本体１１の上パイプ１７ａに取り付けた。これに代えて、アタッチメント１５を用いずに、ドラム支持体１４を、スタンド本体１１の上パイプ１７ａに直接取り付けてもよい。この場合、ドラム支持体１４にティルター機能が組み込まれる。
【００５６】
・本実施形態において、ドラム支持体１４を、第１アーム４１と、第１アーム４１に対して開閉する２本の第２アーム４２とから構成した。これに代えて、第２アーム４２の数を３本以上としてもよい。
【００５７】
・本実施形態において、第１アーム４１を、アーム支持体４３と、アーム支持体４３に支持される摺動アーム４４とから構成した。これに代えて、第１アーム４１を単一の部材により構成してもよい。
【００５８】
・本実施形態において、上パイプ１７ａにアタッチメント１５を固定する構造、アタッチメント１５にドラム支持体１４を固定する構造、アーム支持体４３に摺動アーム４４を固定する構造にクランプ構造を用いた。これに代えて、例えば、ボルトを用いて可動部材を固定部材に直接固定する構造を採用してもよい。
【００５９】
・本実施形態において、２本の第２アーム４２を第１角度で開いた第１位置又は第２角度で開いた第２位置から閉じないように規制する規制部材としてＴ型ストッパ５４を用いた。これに代えて、２種類の規制部材を準備し、ドラムスタンド１０に装着されるスネアドラムＳＤ１，ＳＤ２の直径に対応して２種類の規制部材を付け替えるようにしてもよい。また、ドラムスタンド１０からＴ型ストッパ５４を省略してもよい。
【００６０】
・本実施形態において、ドラムスタンド１０を、スネアドラム用スタンドに具体化したが、タム用スタンドに具体化してもよい。
【符号の説明】
【００６１】
ＳＤ１，ＳＤ２…スネアドラム、１０…ドラムスタンド、１１…スタンド本体、１４…ドラム支持体、１５…アタッチメント、１７…支柱、４１…第１アーム、４２…第２アーム、４３…アーム支持体、４４…摺動アーム、５４…Ｔ型ストッパ（規制部材）、５９…フック。
【図１】
0005990550.tif 000002
【図２】
0005990550.tif 000003
【図３】
0005990550.tif 000004
【図４】
0005990550.tif 000005
【図５】
0005990550.tif 000006
【図６】
0005990550.tif 000007
【図７】
0005990550.tif 000008
【図８】
0005990550.tif 000009